【手続補正書】
【提出日】平成17年12月2日(2005.12.2)
【手続補正１】
【補正対象書類名】明細書
【補正対象項目名】特許請求の範囲
【補正方法】変更
【補正の内容】
【特許請求の範囲】
【請求項１】  準ビデオオンデマンド（ＮＶＯＤ）システムを制御するために構成されたマスタースケジューラーであって：
スケジュールを受信し、その正当性を確認するために構成されたスケジュール管理システム；及び、
複数のチャンネルを使用してＮＶＯＤシステムの加入者に時差開始と共に伝送されることがスケジュールされている映像コンテンツを含む資産の、前記確認されたスケジュールにしたがった、ビデオサーバーの中へのロードを監視及び制御するために構成されたコンテンツ管理システムを備えるマスタースケジューラー。
【請求項２】  グラフィックユーザーインターフェース（ＧＵＩ）を含み、管理者からのＧＵＩベースの（または、ＧＵＩを使用した）命令に応答し、資産のロードを制御するために前記コンテンツ管理システムと相互作用するために構成された管理プロセッサーをさらに備える、請求項１に記載のマスタースケジューラー。
【請求項３】  ビデオサーバーを含む、ＮＶＯＤシステムの外部の実在物に番組のイベントの完成されたスケジュールを配信するために構成されたスケジュール配信器をさらに備え；
前記スケジュール管理システムが、管理者からの命令への応答で、前記番組のイベントの完成されたスケジュールを生成するために前記確認されたスケジュールを変更する、請求項１に記載のマスタースケジューラー。
【請求項４】  管理者からの命令への応答で、ＮＶＯＤのチャンネルの割り当てを決めるＮＶＯＤシステムのヘッドエンドの構成パラメーターの調査または追跡のために構成されたヘッドエンド構成管理器をさらに備える、請求項１に記載のマスタースケジューラー。
【請求項５】  資産のビデオサーバーへのロードを行うために実施されるタスクの指示（または、指標）を生成するために構成されたタスク管理器をさらに備える、請求項１に記載のマスタースケジューラー。
【請求項６】  生成されたタスクに関連した条件の発生に応答し、条件の通知の生成のために構成された通知生成器をさらに備える、請求項５に記載のマスタースケジューラー。
【請求項７】  ＮＶＯＤシステムの資産の状態及び条件を監視するために構成された資産管理システムをさらに備える、請求項１に記載のマスタースケジューラー。
【請求項８】  管理者が資産に関するデータを閲覧するために前記資産管理システムにアクセスすることを可能にするため、資産管理画面を生成するために構成されたグラフィックユーザーインターフェース（ＧＵＩ）をさらに備える、請求項７に記載のマスタースケジューラー。
【請求項９】  前記複数のチャンネルが、選択された資産のテストのためのテストチャンネルを含み；
管理者が、ビデオサーバーにロードされた選択された資産の整合性または保全性を確認するために前記テストチャンネルを使用して、前記選択された資産を閲覧することを可能にするために、前記コンテンツ管理システムがグラフィックユーザーインターフェースを含む、請求項１に記載のマスタースケジューラー。
【請求項１０】  複数の加入者に映像コンテンツを供給するために構成された準ビデオオンデマンド（ＮＶＯＤ）システムであって：
メモリーにコンテンツを格納するために構成されたビデオサーバー；
コンテンツの時差開始伝送を使用して、前記ビデオサーバーから複数のチャンネルを通して複数の加入者にコンテンツを配信するために構成されたヘッドエンド；
電子番組ガイド（ＥＰＧ）プロバイダーシステム；
ビジネス支援システム；
管理者が前記ビデオサーバーのコンテンツを監視及び制御することを可能にするためのグラフィックユーザーインターフェース（ＧＵＩ）を含む管理プロセッサー；及び、
スケジュールプロバイダーからスケジュールを受信及び確認するために構成され、番組のイベントの完成したスケジュールを生成するため、前記確認されたスケジュールを処理するために管理者からの命令に応答するスケジュール管理システム；
前記番組のイベントの完成したスケジュールを前記ビデオサーバー、前記ＥＰＧプロバイダーシステム、及び前記ビジネス支援システムに配信するために構成されたスケジュール配信器；及び、
前記完成したスケジュールにしたがった資産の前記ビデオサーバーの中へのロードを監視及び制御するために構成されたコンテンツ管理器を含むマスタースケジューラーを備えるＮＶＯＤシステム。
【請求項１１】  前記マスタースケジューラーが、管理者からの命令への応答で、ＮＶＯＤのチャンネルの割り当てを決定するため、ヘッドエンドの構成パラメーターを調査または追跡するために構成されたヘッドエンド構成管理器をさらに含む、請求項１０に記載のＮＶＯＤシステム。
【請求項１２】  前記マスタースケジューラーが、前記ビデオサーバーへの資産のロード及びアンロードを行うために実施されるタスクの指示（または、指標）を生成するために構成されたタスク管理システムをさらに含む、請求項１０に記載のＮＶＯＤシステム。
【請求項１３】  前記マスタースケジューラーが、生成されたタスクに関連する条件の発生に応答し、管理者に条件を通知するために構成された通知生成器をさらに含む、請求項１２に記載のＮＶＯＤシステム。
【請求項１４】  前記マスタースケジューラーが、資産の状態及び条件を監視するために構成された資産管理システムを含む、請求項１０に記載のＮＶＯＤシステム。
【請求項１５】  管理者が資産に関するデータを閲覧するために前記資産管理システムをアクセスすることを可能にするために、前記管理プロセッサーがＧＵＩ画面上に資産管理画面を生成する、請求項１４に記載のＮＶＯＤシステム。
【請求項１６】  前記複数のチャンネルが資産をテストするためのテストチャンネルを含み；
管理者が前記ビデオサーバーの中にロードされた選択された資産の整合性または保全性を確認するために前記選択された資産を選択及び閲覧することを可能にするために、前記コンテンツ管理器がＧＵＩ上にコンテンツ管理画面を生成する請求項１０に記載のＮＶＯＤシステム。
【請求項１７】  準ビデオオンデマンド（ＮＶＯＤ）システムを制御するための方法であって：
スケジュールプロバイダーからスケジュールを受信すること；
前記スケジュールの正当性を確認すること；
完成したスケジュールを生成するために前記スケジュールを処理すること；
コンテンツを含む資産を受信すること；
前記完成したスケジュールにしたがって、ビデオサーバーの中に前記資産をロードすること；
前記完成したスケジュールをビデオサーバー、ビジネス支援システム、及び電子番組ガイドシステムに配信すること；及び、
時差開始伝送を使用して、複数のチャンネルを通してＮＶＯＤシステムの加入者に前記コンテンツを伝送することのステップを含む方法。
【請求項１８】  資産を受信することの前記ステップが、資産管理システムを使用して受信した資産のカタログ（または、一覧表）を作成することのステップを含む、請求項１７に記載の方法。
【請求項１９】  管理者が資産のビデオサーバーへのロードを監視することを可能にするためにグラフィックユーザーインターフェース（ＧＵＩ）画面を生成することのステップをさらに含む、請求項１７に記載の方法。
【請求項２０】  前記ビデオサーバーの中にロードされた資産を選択するために、ＧＵＩ画面を介して資産選択命令を受信すること；
ＧＵＩ画面を介して、テスト作動信号を受信すること；及び、
選択された資産を閲覧するためにテストチャンネルを通して管理者のディスプレイに資産を送信することのステップをさらに含む、請求項１９に記載の方法。
【請求項２１】  スケジューリング情報を確認するための方法であって：
マスタースケジューラーでスケジュールプロバイダーから前記スケジュール情報を受信すること；
資産プロバイダーから資産を受信すること；
前記資産をビデオサーバーの中にロードすること；
前記ビデオサーバーから資産情報を得ること；
前記資産情報を前記スケジューリング情報と比較すること；
前記資産情報の前記スケジューリング情報に対する差異を識別することを含む方法。
【請求項２２】  前記資産情報を前記スケジューリング情報と比較する前記ステップが：
前記資産から測定された継続時間測定値情報から成る前記資産情報を、格納された継続時間情報から成る前記スケジューリング情報と比較することを含む、請求項２１に記載の方法。
【請求項２３】  前記資産情報を前記スケジューリング情報と比較する前記ステップが：
スケジュールされた開始時間とスケジュールされた終了時間との間の差に基づいて計算された継続時間を得ること；
前記資産から測定された継続時間測定値情報から成る前記資産情報を、前記計算された継続時間情報と比較することを含む、請求項２１に記載の方法。
【請求項２４】  前記資産情報を前記スケジューリング情報と比較する前記ステップが：
資産返却日を含む前記資産情報を、予定された上演日を含む前記スケジューリング情報と比較することを含み；
前記方法が：
前記スケジュールされた上演日が前記資産返却日より後の場合、前記資産の上演を抑止することをさらに含む、請求項２１に記載の方法。
【請求項２５】  前記マスタースケジューラーで番組ガイドシステムから番組ガイド情報を受信すること；
前記番組ガイド情報を前記スケジューリング情報と比較することをさらに含む、請求項２１に記載の方法。
【請求項２６】  修正されたスケジュール情報を得るために、前記マスタースケジューラーで前記スケジューリング情報を修正すること；
前記修正されたスケジューリング情報を、番組ガイド情報を配信する（または、広める）番組ガイドシステム、及び、課金情報を生成するビジネス支援システムに伝送することをさらに含む、請求項２１に記載の方法。
【請求項２７】  前記資産プロバイダーから値段の情報を得ること：
修正された値段の情報を得るために、前記マスタースケジューラーで前記値段の情報を修正すること；
前記修正された値段の情報を前記マスタースケジューラーから、課金情報を生成するビジネス支援システムへ伝送することをさらに含む、請求項２１に記載の方法。